(57)【要約】【課題】開閉部材の閉成時における異音の発生や、各部材の損傷を防止し、またメッキ処理等を施して商品性を高め得る内装部材を提供する。【解決手段】本体１０と、この本体１０に開閉可能に枢支される開閉部材２０と、本体１０および開閉部材２０に設けられ係合状態となることで該開閉部材２０を閉成状態に保持し、係合状態を解除することで開閉部材２０の開放を許容する係脱可能な第１の係合手段５０とを備える内装部材において、本体１０または開閉部材２０に設けられ係合状態となることで第１の係合手段５０を係合解除状態に保持する係脱可能な第２の係合手段４０と、開閉部材２０が本体１０を閉成した際に第２の係合手段４０の係合状態を解除すると共に、第１の係合手段５０の係合状態への移行を許容する係合解除手段４６と、第１の係合手段５０の係合状態から係合解除状態への移行を操作する操作部２２とを備えるようにした。【選択図】図１
2008087798.tif 000002
【特許請求の範囲】
【請求項１】
本体と、この本体に開閉可能に枢支される開閉部材と、この本体および開閉部材に設けられ、係合状態となることで該開閉部材を閉成状態に保持し、係合状態を解除することで開閉部材の開放を許容する係脱可能な第１の係合手段とを備える内装部材において、
前記本体または開閉部材に設けられ、係合状態となることで前記第１の係合手段を係合解除状態に保持する係脱可能な第２の係合手段と、
前記開閉部材が本体を閉成した際に、前記第２の係合手段の係合状態を解除すると共に、前記第１の係合手段の係合状態への移行を許容する係合解除手段と、
前記第１の係合手段の係合状態から係合解除状態への移行を操作する操作部とを備える
ことを特徴とする内装部材。
【請求項２】
前記第２の係合手段は、前記操作部の下面に設けられて、下方に向けて突出した状態に弾力付勢される係合凸部と、該操作部の下側に設けられて、該係合凸部が係脱可能に係合するように上下方向に貫通した係合穴部とを備える請求項１記載の内装部材。
【請求項３】
前記係合凸部は、半球形状とされている請求項２記載の内装部材。
【請求項４】
前記係合穴部の上方開口縁部は、面取り加工が施されている請求項２または３記載の内装部材。
【請求項５】
前記本体はコンソール本体であり、前記開閉部材はコンソールリッドである請求項１〜４の何れか一項に記載の内装部材。
【発明の詳細な説明】
【技術分野】
【０００１】
この発明は、内装部材に関し、更に詳細には、車両に搭載されるコンソールリッド等の開閉部材を備える内装部材に関する。
【背景技術】
【０００２】
一般に乗用車等の種々自動車のフロントシート(運転席および助手席)Ｓ，Ｓとの間には、図１１に示す如く、車体前後方向へ延在する車両の内装部材であるフロアコンソールＦＣが備えられている。このフロアコンソールＦＣは、各種物品を収納する物品収納部１２が画成された本体であるコンソール本体１０と、この本体１０の後方上部に枢支されて、物品収納部１２の上方開口部１４を開閉する開閉部材であるコンソールリッド７０とを備えている。そしてコンソールリッド７０は、係脱可能な第１の係合手段５０が備えられており、この第１の係合手段５０が係合状態になることでコンソール本体１０に閉成状態に保持され、第１の係合手段５０が係合解除状態になることで開放が許容されるようになっている。
【０００３】
このコンソールリッド７０は、図１２に示す如く、第１の係合手段５０を係合状態を解除する操作部２２と、コンソールリッド７０の骨格となるリッド基部２６と、このリッド基部２６の下面に取り付けられるカバー部材２８と、リッド基部２６の上面に設けられる芯材３２と、この芯材３２の外部表面を被覆する表皮材３４とを基本的に備えている。なお、図１２における左方がコンソールリッド７０の前方であり、右方がコンソールリッド７０の後方である。ここで操作部２２は、コンソールリッド７０の前端の略中央部に取り付けられている。また、操作部２２の取り付け位置に対応してカバー部材２８には、操作部２２を常には前方に付勢し、前後方向にスライド可能に取り付け得る収納空間２９が画成されている。
【０００４】
第１の係合手段５０は、操作部２２の下面に設けられる第１係合部５２と、コンソール本体１０の前部上面に設けられ、この第１係合部５２と係合する第２係合部５４とから構成される。すなわち、第１係合部５２および第２係合部５４が係合することで、第１の係合手段５０が係合状態になり、第１係合部５２および第２係合部５４の係合が解除されることで、第１の係合手段５０が係合状態が解除される。なお、第１係合部５２と第２係合部５４とが係合した際に、第１係合部５２および第２係合部５４が当接する部位を、夫々第１係合当接部５２ａおよび第２係合当接部５４ａと呼称する。また、第１係合部５２の下端部におけるコンソールリッド７０の前後に沿った断面形状は、下方に向けて突出した略半円状となっており、第２係合部５４の上端部におけるコンソールリッド７０の前後に沿った断面形状は、上方に向けて突出した略半円状となっている。
【０００５】
第１の係合手段５０とコンソールリッド７０との関係をみると、第１の係合手段５０が係合状態になることで、コンソールリッド７０が閉成状態に保持(ロック)される(図１２(ａ)参照)。そして、操作部２２をコンソールリッド７０の後方に向かって押込むと、これに伴って第１係合部５２が後方へ移動して、第１の係合手段５０が係合状態が解除され、コンソールリッド７０の開放が許容される(図１２(ｂ)参照)。コンソールリッド７０を開放後に操作部２２を後方に押込む力がなくなると、図示しない付勢手段の操作部２２への付勢力によって第１係合部５２は前方に移動することになる。このような技術は、例えば特許文献１に開示されている。
【特許文献１】特開平８−１７５２７２号公報
【発明の開示】
【発明が解決しようとする課題】
【０００６】
ところで、コンソールリッド７０を開放した場合に、操作部２２が付勢手段の付勢力によって前方に移動して、第１係合部５２が第２係合部５４と係合可能な位置に変位していると、図１３に示す如く、コンソールリッド７０を閉成する際に(図１３(ａ)参照)、第１係合部５２の下端部と第２係合部５４の上端部が接触することになる(図１３(ｂ)参照)。この接触によって第１係合部５２(操作部２２)には、コンソールリッド７０の後側を指向する力Ｆが発生する。この力Ｆとコンソールリッド７０を閉成しようとする下向きの力とによって、第１係合部５２は後方に退避しながら、コンソールリッド７０が更にコンソール本体１０に接近することになる。そして、コンソールリッド７０が閉成されて、第１係合部５２と第２係合部５４とが係合可能な位置関係となると(図１３(ｃ)参照)、操作部２２に対する付勢手段の作用により、第１係合部５２が前方へ移動して両係合部５２,５４が係合する(図１３(ｄ)参照)。すなわち、コンソールリッド７０の閉成操作による第１係合部５２と第２係合部５４との接触とスプリング５６の働きとにより、第１の係合手段５０が係合状態となり、コンソールリッド７０が閉成状態に保持されることになる。
【０００７】
しかしこのような構成では、コンソールリッド７０の閉成に際して、第１係合部５２および第２係合部５４において、第１係合部５２の下端部と第２係合部５４の上端部とが接触してしまう。このような接触は、接触音等の異音や、第１係合部５２および第２係合部５４に対する物理的なダメージを発生させて、車両内装部材の高級感を損ない商品性を低下させる。更に商品性を向上させるために、各種部材に着色またはメッキを施すことがあるが、このような着色またはメッキは前述の接触によって剥がれてしまう。このため、商品性の向上等を目的としたメッキ処理等の実施は不可能であった。
【０００８】
また操作部２２は、後方に押込み可能なように常に前方に付勢された状態で収納空間２９に取り付けられているに過ぎない。従って、操作部２２が前後方向以外の上下方向等に動くことがある。この場合、操作部２２が、収納空間２９を画成するカバー部材２８と接触して異音を発生させ、商品性の低下を招く問題もある。
【０００９】
この発明は、従来技術に係る前記問題に鑑み、これを好適に解決するべく提案されたものであって、開閉部材の閉成時における異音の発生や、各部材の損傷を防止し、またメッキ処理等を施して商品性を高め得る内装部材を提供することを目的とする。
【課題を解決するための手段】
【００１０】
前記課題を克服し、所期の目的を達成するため、請求項１に記載の発明に係る開閉機構は、本体と、この本体に開閉可能に枢支される開閉部材と、この本体および開閉部材に設けられ、係合状態となることで該開閉部材を閉成状態に保持し、係合状態を解除することで開閉部材の開放を許容する係脱可能な第１の係合手段とを備える内装部材において、
前記本体または開閉部材に設けられ、係合状態となることで前記第１の係合手段を係合解除状態に保持する係脱可能な第２の係合手段と、
前記開閉部材が本体を閉成した際に、前記第２の係合手段の係合状態を解除すると共に、前記第１の係合手段の係合状態への移行を許容する係合解除手段と、
前記第１の係合手段の係合状態から係合解除状態への移行を操作する操作部とを備えることを要旨とする。
従って、請求項１に係る発明によれば、開放部材の閉成時に第１の係合手段から発生する異音を防止し、また第１の係合手段に着色処理またはメッキ処理等を可能として質感を高め、商品性を向上させる効果を奏する。更に第１の係合手段の損傷を防止して、製品の耐久度を高め得る。
【００１１】
請求項２に記載の発明では、前記第２の係合手段は、前記操作部の下面に設けられて、下方に向けて突出した状態に弾力付勢される係合凸部と、該操作部の下側に設けられて、該係合凸部が係脱可能に係合するように上下方向に貫通した係合穴部とを備えることを要旨とする。
従って、請求項２に係る発明によれば、開放部材の閉成時に第１の係合手段から発生する異音を防止し、第１の係合手段に着色処理またはメッキ処理等を可能として質感を高め、商品性を向上させる効果を奏する。また第１の係合手段の損傷を防止して、製品の耐久度を高め得る。更に開閉部材を閉成することで能動的に第１の係合手段を係合状態に移行させ得る。また更に、第２の係合手段の係合状態を解除する係合解除手段の構造を簡単なものとし得る。
【００１２】
請求項３に記載の発明では、前記係合凸部は、半球形状とされていることを要旨とする。
従って、請求項３に係る発明によれば、第２の係合手段の係合状態への移行が容易かつ速やかになされる。
【００１３】
請求項４に記載の発明では、前記第２係合部の上方開口縁部は、面取り加工が施されている  
従って、請求項４に係る発明によれば、第２の係合手段の係合状態への移行が容易かつ速やかになされる。
【００１４】
請求項５に記載の発明では、前記本体はコンソール本体であり、前記開閉部材はコンソールリッドであることを要旨とする。
従って、請求項５に係る発明によれば、コンソールリッドを閉成する際の異音の発生を防止すると共に、コンソールリッド開放時における操作部のがたつきや、この操作部のがたつきに伴う異音発生を防止し得る。
【発明の効果】
【００１５】
以上に説明した如く、本発明に係る内装部材によれば、開閉部材の閉成時における異音の発生や、各部材の損傷を防止し、またメッキ処理等を施して商品性を高め得る。
【発明を実施するための最良の形態】
【００１６】
次に、本発明に係る内装部材につき、好適な実施例を挙げて、添付図面を参照しながら以下説明する。なお実施例では、開閉部材として、内装部材であるフロアコンソールに配設したコンソールリッドを例示する。図１１〜図１３の各図面に既出の部材・部位と同一の部材・部位については、同一の符号を付して説明する。
【実施例】
【００１７】
本実施例のコンソールリッド(以下、単にリッドと云う)２０は、コンソール本体１０の後側上部に枢支され、この本体１０に画成された物品収納部１２の上方開口部１４の開閉部材である。そしてリッド２０は、係脱可能な第１の係合手段５０によってコンソール本体１０に閉成状態に保持(ロック)される。このリッド２０は、図１〜図４に示す如く、操作部２２、リッド基部２６、カバー部材２８、芯材３２および表皮材３４とを基本的に備えている。ここでリッド基部２６は、リッド２０に剛性を付与する骨格の役割を担っている。カバー部材２８は、リッド基部２６の下面を覆うように取り付けられ、リッド２０の開放時に外部から視認可能となって、リッド２０の下面の見栄えをよくする部材である。そして、これらリッド基部２６およびカバー部材２８は、合成樹脂等からインジェクション成形等で作製されている。芯材３２は、リッド基部２６の上面に設けられてリッド２０の外形をなす部材であり、軟質ウレタンフォーム等の柔軟な物質からなる。表皮材３４は、芯材３２の外部表面を被覆してリッド２０の外観をなす部材である。なお、図２における左方がリッド２０の前方であり、右方がリッド２０の後方である。
【００１８】
操作部２２は、基本的に従来技術の構成と同様であり、乗員が操作し易いようにリッド２０の前側の略中央部に取り付けられ、操作部２２の取り付け位置に対応してカバー部材２８には収納空間２９が前方に開口して画成されている。この収納空間２９は、カバー部材２８の一部を構成する上壁２８ａ、下壁２８ｂ、両側の側壁２８ｃ,２８ｃおよび後壁２８ｄによって、夫々上方、下方、両測方および後方を区切られている。
【００１９】
ここで後壁２８ｄには、前方に開口する案内孔３０ａを備える円筒状の取付部３０が前方に向けて突設されている。下壁２８ｂにおける操作部２２の幅方向中央部には、操作部２２の操作時に後退する第１係合部５２(後述)を受け入れるように、後方に凹んだ凹部２８ｅが設けられている(図４参照)。上壁２８ａの前端部には、取付部３０に取り付けられた操作部２２が収納空間２９から前方への脱離しないように、操作部２２の幅方向に沿って脱離防止凸部２８ｆが下方に突設されている。
【００２０】
操作部２２は、後方に開口した部材であり、収納空間２９に収まる大きさになっている。この操作部２２の前面部２２ａには、後方に向けて、操作部２２が取付部３０の案内孔３０ａに挿入される円柱状の案内部材２３が突設されており、この案内部材２３の外周には、操作部２２を常に前方側に付勢する付勢手段としてのスプリング５６が巻装されている。すなわち、操作部２２は、スプリング５６により常には前方に付勢されて収納空間２９内を、スプリング５６の付勢力に抗して押込まれることにより、取付部３０の案内孔３０ａに挿入した案内部材２３に沿って、後方に移動されるように構成されている。なお、本実施例では、案内部材２３およびこれに対応する取付部３０の何れも、操作部２２の幅方向に互いに離間して２つ設けられている。この案内部材２３および取付部３０の数は、操作部２２の幅や、スプリング５６によって付勢する力等によって適宜決定される。
【００２１】
また、下面部２２ｂの後端における操作部２２の幅方向の中央には、後方に延在し、上下に弾性変形可能な弾性片２４が設けられている(図４参照)。
この弾性片２４は、操作部２２を前後に移動させても、常に下壁２８ｂと上下に隣接する位置関係となっている(図２参照)。また弾性片２４には、操作部２２の幅方向の離間する２カ所に後端から前方へ切れ込んだスリット２２ｃ,２２ｃが形成され、このスリット２２ｃ,２２ｃにより操作部２２の幅方向に３つに分割されている。すなわち、弾性片２４は、１つの弾性小片２５ａと２つの弾性小片２５ｂ,２５ｂとの３つに分割されている。
【００２２】
ここで、操作部２２の幅方向における中央に位置する弾性小片２５ａには、第１の係合手段５０の一部をなす第１係合部５２が下方に突出するように設けられている。また、操作部２２の幅方向における外側に位置する２つの弾性小片２５ｂ,２５ｂには、第２の係合手段４０の一部をなす係合凸部４２,４２(後述)が下方に向けて半球状に突出するように設けられている。そして、係合凸部４２,４２を設けた弾性小片２５ｂ,２５ｂは、下壁２８ｂに当接して常に上方に向けて弾性変形しており、係合凸部４２,４２が下方に向けて付勢された状態になっている。なお、本実施例においては、弾性小片２５ａ,２５ｂ,２５ｂ(弾性片２４)は弾性変形し得る合成樹脂で形成されているが、本発明はこれに限定されるものではなく、例えば硬質ゴムや、金属等の弾性材料も採用可能である。
【００２３】
そしてコンソール本体１０の前部上面には、リッド２０を閉成した際に、操作部２２に設けた第１係合部５２と係合する第２係合部５４が設けられている。この第１係合部５２および第２係合部５４は、係脱可能な第１の係合手段５０を構成し、第１係合部５２および第２係合部５４が係合することでリッド２０が閉成状態に保持される。すなわち、第１係合部５２および第２係合部５４が係合することで、第１の係合手段５０が係合状態になってリッド２０が閉成状態に保持される。また、第１係合部５２および第２係合部５４の係合が解除されることで、第１の係合手段５０の係合状態が解除された係合解除状態となり、リッド２０の開放が許容される。なお、従来技術と同様に、第１係合部５２と第２係合部５４とが係合した際に相互に当接する部位を、夫々第１係合当接部５２ａおよび第２係合当接部５４ａと呼称する。また、第１係合部５２の下端部におけるコンソールリッド７０の前後に沿った断面形状は下方に向けて突出した略半円状であり、第２係合部５４の上端部におけるコンソールリッド７０の前後に沿った断面形状は上方に向けて突出した略半円状である。
【００２４】
この第１の係合手段５０は、係脱可能な第２の係合手段４０によって係合解除状態に保持される。この第２の係合手段４０は、操作部２２に設けられる係合凸部４２,４２と、カバー部材２８に設けられ、係合凸部４２,４２が係合する係合穴部４４,４４とを備える。ここで係合穴部４４,４４は、下壁２８ｂにおいて上下に貫通するように形成された穴であって、操作部２２を後方に押込んで第１の係合手段５０を係合解除状態とした際に、弾性によって変形から復帰した弾性小片２５ｂ,２５ｂに設けられる係合凸部４２,４２と係合するようになっている(図２参照)。この係合穴部４４,４４の開口部形状は、半球状をなす係合凸部４２,４２の上方からの係合を許容する円形とされている。そして上方開口縁部４４ａは、断面Ｒ形状に面取り加工が施されている。また本実施例において係合凸部４２は、弾性片２４の幅方向に離間して、第１係合部５２の両側に位置するように２つ設けられている、また、これに対応して係合穴部４４は、下壁２８ｂの幅方向に離間して、凹部２８ｅの両側に位置するよう２つ設けられている。しかし、本発明はこれに限定されるものではなく、係合凸部４２および係合穴部４４の設置数を係合力の強弱等に応じて変更してもよい。
【００２５】
またリッド２０を閉成した際に、コンソール本体１０の上面において係合凸部４２,４２に対応する位置には、係合凸部４２,４２および係合穴部４４,４４の係合を解除する係合解除手段４６,４６が設けられている。この係合解除手段４６は、係合凸部４２を係合穴部４４から押し出し可能な高さで、かつ係合穴部４４内を挿通可能な円柱状に形成されている。すなわち、第１の係合手段５０が係合状態にあり、係合穴部４４,４４に係合凸部４２,４２が係合していないときには、係合解除手段４６,４６が係合穴部４４,４４内に挿入された状態になる(図３参照)。なお、係合解除手段４６,４６の形状は、係合凸部４２,４２と係合穴部４４,４４との係合状態を解除し得るものであれば殊に限定されない。
【００２６】
このように、係合凸部４２,４２および係合穴部４４,４４が係合することで、第２の係合手段４０が係合状態になって、第１の係合手段５０が係合解除状態に保持される。また、係合凸部４２,４２および係合穴部４４,４４の係合が解除されることで、第２の係合手段４０の係合状態が解除された係合解除状態となり、第１の係合手段５０の係合状態への移行が許容される。
【００２７】
(実施例の作用について)
次に、実施例に係るリッド(開閉部材)の作用について、図５〜図８を参照して説明する。なお、以下の説明において、ロック状態とは、第１の係合手段５０を係合状態として、リッド２０がコンソール本体１０を閉成・保持されたリッド２０の状態を指す。また開放保持状態とは、第２の係合手段４０を係合状態として、第１の係合手段５０が係合解除状態に保持されて、リッド２０を開放し得る状態を指す。
【００２８】
図５は、ロック状態にあるリッド２０を開放保持状態に移行させて、開放するまでの経過を示す状態図である。ロック状態にあるリッド２０では、第１の係合手段５０の第１係合部５２および第２係合部５４が係合して、リッド２０が開放状態に移行できないように閉成状態に保持されている(図５(ａ)参照)。そして操作部２２をスプリング５６の付勢力に抗して後方へ押込むと、これに伴って第１係合部５２が後方へ移動し、最終的には下壁２８ｂに設けられた凹部２８ｅに受け入れられると共に、第２の係合手段４０の係合凸部４２,４２と係合穴部４４,４４とが係合することになる。この係合によって、第１の係合手段５０が係合解除状態に保持され、リッド２０は開放保持状態に移行する(図５(ｂ)参照)。開放保持状態に移行したリッド２０は開放可能な状態となる(図５(ｃ)参照)。すなわち、操作部２２を操作する(後方に押込む)ことで、第１の係合手段５０が係合状態から係合解除状態に移行すると共に、第２の係合手段５０が係合解除状態から係合状態に移行する。
【００２９】
次に、図５(ａ)から図５(ｂ)に到る途中における係合凸部４２,４２、下壁２８ｂおよび係合解除手段４６の状態を図６を用いて説明する。図５(ａ)から図５(ｂ)に到る途中において係合凸部４２,４２の下端部は、係合凸部４２,４２を設けた弾性小片２５ｂ,２５ｂの弾性変形による下方への付勢作用によって、常に下壁２８ｂの上面と摺接した状態となっている(図６(ａ)参照)。このような摺接状態が発生すると、操作部２２を後方に押込む際に摩擦力が発生する。すなわち、リッド２０の閉成状態に確実に保持し得る作用が期待できる。
【００３０】
また、係合凸部４２,４２の下端部と下壁２８ｂとが当接した場合に、係合凸部４２,４２を設けた２つの弾性小片２５ｂ,２５ｂだけが弾性変形し、第１係合部５２を設けた弾性小片２５ａは変形しない。従って、操作部２２を後方へ押込む操作によって第１係合部５２が後方へ移動するだけで、第１の係合手段５０が係合状態から係合解除状態へ移行する。
【００３１】
そして図６(ａ)で示す状態を超えて操作部２２の押込みがなされると、図６(ｂ)に示す状態になる。すなわち、係合凸部４２,４２および係合穴部４４,４４の形状効果により、係合凸部４２の下方への付勢下に、係合凸部４２が係合穴部４４に接近すると、係合凸部４２および係合穴部４４の夫々の位置の一部が重複するだけで(完全に係合する位置からのずれがあっても)、自動的に係合しようとする。このとき、係合穴部４４,４４内には係合解除手段４６,４６が挿入されているが、係合凸部４２,４２は係合穴部４４,４４に対する係合によって係合解除手段４６,４６を押し下げようとする。このため、操作部２２の押込みを完全に行なわなくても、係合凸部４２および係合穴部４４が確実かつ自動的に係合状態に移行する。
【００３２】
そして係合凸部４２,４２が、係合穴部４４,４４に係合し始めると、係合凸部４２,４２の下端部と、係合穴部４４,４４内に収まっている係合解除手段４６,４６とが当接する(図６(ｃ)参照)。係合凸部４２,４２は、この当接後も下方への付勢作用によって、係合解除手段４６,４６を押し下げようとする。しかし、係合解除手段４６,４６はコンソール本体１０に設けられていて押し下げることができないため、リッド２０が上方に押し上げられることになる(図６(ｄ)参照)。そしてリッド２０が上方に押し上げられることで、係合凸部４２,４２および係合穴部４４,４４が係合することになる。すなわち、操作部２２を押込むだけで、リッド２０を容易に開放状態に移行させる力がリッド２０に働く。
【００３３】
このように、係合凸部４２,４２および係合穴部４４,４４が係合することで、操作部２２(第１の係合手段５０)が係合解除状態に保持された開放保持状態になる。従って、第２の係合手段４０が係合状態になった後に、リッド２０の開放が第１の係合手段５０によって阻害されることはない。また操作部２２は、係合凸部４２,４２と係合穴部４４,４４とが係合することで位置規制されるため、がたつきが防止される。
【００３４】
図７は、開放保持状態にあるリッド２０を閉成して、ロック状態とするまでの経過を示す状態図である。前述したように開放開放状態にあるリッド２０では、第２の係合手段４０が係合状態にある。このため、第１の係合手段５０が係合解除状態に保持され、操作部２２は後方に押込まれた状態を保持している(図７(ａ)参照)。リッド２０の開放状態が小さくなっていくと、係合穴部４４,４４に係合している係合凸部４２,４２の下端部と、係合解除手段４６,４６とが当接する。そして、更にリッド２０を閉成すると、係合凸部４２,４２が係合解除手段４６,４６によって下方から押し上げられる(図７(ｂ)参照)。この押し上げによって、係合穴部４４,４４から係合凸部４２,４２が抜け出して係合が解除される。この解除により、係合凸部４２,４２(操作部２２)に働くスプリング５６の付勢力に対抗する力がなくなる。このため、係合凸部４２,４２(操作部２２)は前方へスライド移動し、これに伴い第１係合部５２および第２係合部５４が係合することになる(図７(ｃ)参照)。すなわち、リッド２０がコンソール本体１０を閉成することで、第２の係合手段４０が係合状態から係合解除状態に移行し、これによって第１の係合手段５０が係合解除状態から係合状態に移行する。
【００３５】
また、この操作部２２の前方へのスライド移動に伴う第１の係合手段５０が係合解除状態から係合状態への移行の際も、また、前述の如く、係合凸部４２,４２の下端部と下壁２８ｂとが当接しても、第１係合部５２を設けた弾性小片２５ａは変形しない。従って、操作部２２の前方への移動によって第１係合部５２が前方へ移動するだけで、第１の係合手段５０が係合解除状態から係合状態へ移行する。
【００３６】
このように、本実施例に係るリッド２０においては、リッド２０が閉成されまでは、係合解除手段４６,４６が働かない。このため、第２の係合手段４０が係合状態から係合解除状態に移行しないため、第１の係合手段５０が係合解除状態から係合状態に移行することもない。従ってリッド２０を閉成するに際して、第１の係合手段５０における第１係合部５２および第２係合部５４が接触することはない(図７(ｂ)および(ｃ)参照)。すなわち、第１係合部５２および第２係合部５４の接触により、リッド２０の閉成に関して異音が生じたり、乗員の目につく部分に傷がつくことはない。
【００３７】
また、リッド２０の閉成時に操作部２２を後方に押込む際には、操作部２２の動きが、スプリング５６の付勢力と、弾性小片２５ｂ,２５ｂの下方への付勢による係合凸部４２,４２の下端部と下壁２８ｂの上面と摺接による摩擦力とによって規制される。またリッド２０の開放時には、係合凸部４２,４２および係合穴部４４,４４が係合しているので、操作部２２の動きが規制されている。従って、リッド２０の状態によらず、操作部２２のがたつきに由来する異音等の発生が抑制される。更に、前述の如く、係合凸部４２,４２の下端部と下壁２８ｂとが当接しても、第１係合部５２を設けた弾性小片２５ａは変形しないため、操作部２２の操作による第１の係合手段５０の係合状態−係合解除状態の変化に伴う第１係合部５２と第２係合部５４との位置関係の変動を単純なものとし得る。
【００３８】
(変更例)
前述の実施例では、弾性片２４に第１係合部５２と係合凸部４２,４２とを設ける構成としている。しかし、本発明はこれに限定されず、例えば図８に示すように、弾性片２４にスリット２２ｃを形成せず、弾性片２４の幅方向の略中央部に、第１係合部５２を下方に突出するように設け、弾性片２４の後端部近傍に、係合凸部４２,４２を幅方向に離間して下方に向けて半球状に突出するように設けてもよい。この場合、操作部２２の構造の簡略化が可能となり、製造コストを低減し得る。
【００３９】
(別の実施例)
前述の実施例では、内装部材としてフロアコンソールＦＣを例に挙げているが、本発明はこれに限定されない。例えば、オーバヘッドコンソールや、グローブボックスにおける蓋体等にも、同様の構造を採用した開閉部材とし得る。殊にニルヘッドコンソールまたはグローブボックスの場合、開放時に第１の係合手段が乗員の目にとまり易い配置となるため、メッキ等を施すことによって商品性を大きく向上させ得る。
【００４０】
また前述の実施例では、係合凸部４２,４２および係合穴部４４,４４の係合を解除するために係合解除手段４６,４６がコンソール本体１０の上面設けられていたが、本発明はこれに限定されるものではない。例えば、図１０に示す如く、下方に突設する係合凸部４２,４２の突設長さを大きくして、係合凸部４２,４２と係合穴部４４,４４とが係合した際に、係合凸部４２,４２の下端部が下壁２８ｂから下方に突出するようにしてもよい(図１０(ａ)参照)。ここで係合穴部４４,４４は、係合凸部４２,４２の下端部の高さ位置と、下壁２８ｂにおける下面の高さ位置とが略一致した場合に、係合凸部４２,４２が操作部２２に働くスプリング５６の付勢力で前方への移動が許容される断面形状となっている。この場合、リッド２０が閉成されると、係合凸部４２,４２の下端部がコンソール本体１０に直接当接して、係合凸部４２,４２が押し上げられ、係合凸部４２,４２と係合穴部４４,４４との係合が解除される(図１０(ｂ)参照)。すなわち、コンソール本体１０において、係合凸部４２,４２の下端部が当接する部位が、係合解除手段４６,４６となる。
【００４１】
また本発明は、開閉部材を閉成状態に保持する第１の係合手段が、別に備えられる第２の係合手段によって該開閉部材の開放を許容する状態に係合可能な構成であれば、殊にその内容は限定されない。例えば、前述の実施例では開閉部材(リッド)２０側に設けられている係合凸部４２および係合穴部４４を本体(コンソール本体)１０側に設けるようにしてもよい。
【図面の簡単な説明】
【００４２】
【図１】本発明の好適な実施例に係るフロアコンソールを示す概略斜視図である。
【図２】実施例に係るコンソールリッドを開放可能とする状態で、操作部近傍を一部切り欠いて示す拡大側断面図である。
【図３】実施例に係るコンソールリッドを閉成状態に保持し、操作部近傍を一部切り欠いて示す拡大側断面図である。
【図４】実施例に係るカバー部材および操作部の構造を概略的に示す分解斜視図である。
【図５】ロック状態にあるコンソールリッドを開放ロック状態として、リッドを開放するまでの経過を示す説明図である。
【図６】図５(ａ)から図５(ｂ)に到る途中における係合凸部、下壁および係合解除手段の状態を示す状態図である。
【図７】開放状態にあるコンソールリッドを、ロック状態とするまでの経過を示す説明図である。
【図８】変更例に係る操作部の構造を一部切り欠いて示す概略斜視図である。
【図９】図８の操作部を採用したコンソールリッドにおける操作部近傍を一部切り欠いて拡大して示す概略側断面図である。
【図１０】別の実施例に係るコンソールリッドにおける操作部近傍を一部切り欠いて拡大して示す概略側断面図である。
【図１１】車両のシートの側方に設置したフロアコンソールのコンソールリッドを示す概略斜視図である。
【図１２】従来技術に係る開閉部材を備えるコンソールリッドを示す概略側断面図である。
【図１３】従来技術に係る開閉部材を備えるコンソールリッドが、開放状態から閉成状態に到る様子を示す説明図である。
【符号の説明】
【００４３】
１０  本体(コンソール本体)、２０  開閉部材(コンソールリッド)
２２  操作部、４０  第２の係合手段、４２  係合凸部、４４  係合穴部
４６  係合解除手段、４４ａ  上方開口縁部、５０  第１の係合手段
５２  第１係合部、５４  第２係合部
【図１】
2008087798.tif 000003
【図２】
2008087798.tif 000004
【図３】
2008087798.tif 000005
【図４】
2008087798.tif 000006
【図５】
2008087798.tif 000007
【図６】
2008087798.tif 000008
【図７】
2008087798.tif 000009
【図８】
2008087798.tif 000010
【図９】
2008087798.tif 000011
【図１０】
2008087798.tif 000012
【図１１】
2008087798.tif 000013
【図１２】
2008087798.tif 000014
【図１３】
2008087798.tif 000015